(57)【要約】【課題】所望のスロット溝だけから光ファイバを容易に取り出すことのできる光ファイバケーブルを提供する。【解決手段】スロットロッド１２の外周面に上巻きテープ３０を巻き、この上巻きテープ３０の外側にシース１４を設けた光ファイバケーブル１０において、上巻きテープ３０に破断誘導部３２を設ける。これにより、シース１４を取り除いてスロット溝１３に収容されている光ファイバ２０を取り出す際に、スロットロッド１２に巻きつけられている上巻きテープ３０が破断誘導部３２から破断するので、容易に光ファイバ２０を取り出すことができる。このとき、上巻きテープ３０を完全に取り除かなくてもスロット溝１３に沿って破断するので、容易に光ファイバ２０を取り出すことができる。【選択図】        図４
2004354766.tif 000002
【特許請求の範囲】
【請求項１】
光ファイバを収容するスロット溝を備えたスロットロッドの外周面に上巻きテープを巻き、前記上巻きテープの外側にシースを設けた光ファイバケーブルであって、
前記上巻きテープが、破断誘導部を有することを特徴とする光ファイバケーブル。
【請求項２】
前記上巻きテープが、不織布から構成されていることを特徴とする請求項１に記載した光ファイバケーブル。
【請求項３】
前記破断誘導部が、前記スロット溝の幅よりも小さな間隔で設けられていることを特徴とする請求項１または２に記載した光ファイバケーブル。
【請求項４】
前記上巻きテープが、前記スロットロッドの外周面にらせん状に巻かれあるいは縦添えされていることを特徴とする請求項１から３のいずれか１項に記載した光ファイバケーブル。
【請求項５】
前記上巻きテープが、前記スロットロッドの外周面に接着されていることを特徴とする請求項１から４のいずれか１項に記載した光ファイバケーブル。
【請求項６】
前記スロット溝に、前記上巻きテープを破断させるための糸状部材を引き出し可能に収納したことを特徴とする請求項１から５のいずれか１項に記載した光ファイバケーブル。
【発明の詳細な説明】
【０００１】
【発明の属する技術分野】
この発明は、光ファイバケーブルに関するものである。
【０００２】
【従来の技術】
従来より、図９に示すような光ファイバケーブルが開示されている（例えば、特許文献１参照。）。
図９に示すように、この光ファイバケーブル１００では、中心にテンションメンバ１０１を有し、このテンションメンバ１０１の周囲に樹脂製のスロットロッド１０２が一体的に設けられている。スロットロッド１０２の外周面には、複数本の溝１０３が一方向にあるいは反転して平行に撚られて設けられており、溝１０３には光ファイバ１０６をテープ状に被覆したテープ心線１０４を積層して積層体１０５を形成し、この積層体１０５を収容している。
【０００３】
スロットロッド１０２の外周面には上巻きテープ１０７が巻回されており、さらに上巻きテープ１０７の外側にはシース１０８が設けられて光ファイバケーブル１００を構成している。
なお、上巻きテープ１０７は全面にわたって巻かれており、織布または不織布を基材としてその内側面には溝１０３に浸入した水の進行を防止する吸水層１０７ａが設けられているものである。
【０００４】
【特許文献１】
特開２００２−２４３９９９号公報（第３頁、第１図）
【０００５】
【発明が解決しようとする課題】
ところで、前述したような光ファイバケーブル１００の溝１０３に収容されている光ファイバ１０６を取り出すには、まずシース１０８を取り除き、上巻きテープ１０７を取り除く。このとき、上巻きテープ１０７の基材として用いられている不織布等は部分的に引き裂くのが困難であるため、一般に取り出す光ファイバ１０６の全長にわたって上巻きテープ１０７を取り除く必要があり、面倒である。
また、取り出す必要のない光ファイバ１０６を収容している溝１０３の上の上巻きテープ１０７も同時に取り除かれるので、取り出さない光ファイバ１０６が露出して、作業時に触れたりして外傷を与えるおそれもある。
【０００６】
本発明は、前述した問題点に鑑みてなされたものであり、その目的は、所望のスロット溝だけから光ファイバを容易に取り出すことのできる光ファイバケーブルを提供することにある。
【０００７】
【課題を解決するための手段】
前述した目的を達成するために、本発明にかかる光ファイバケーブルは、光ファイバを収容するスロット溝を備えたスロットロッドの外周面に上巻きテープを巻き、前記上巻きテープの外側にシースを設けた光ファイバケーブルであって、前記上巻きテープが、破断誘導部を有することを特徴としている。
【０００８】
このように構成された光ファイバケーブルにおいては、光ファイバケーブルのシースを取り除いてスロット溝に収容されている光ファイバを取り出す際に、スロットロッドに巻きつけられている上巻きテープが破断誘導部から破断するので、容易に光ファイバを取り出すことができる。このとき、上巻きテープを完全に取り除かなくても破断するので、光ファイバを取り出すスロット溝以外のスロット溝に収容されている光ファイバは収容されたままの状態である。このため、作業中に他の光ファイバが邪魔にならないため作業性がよくなるとともに、他の光ファイバを傷つけることが防止できる。なお、破断誘導部としては、所望の方向へ破断を導くものであり、例えば、格子状に設けられたミシン目を例示することができる。
【０００９】
また、本発明にかかる光ファイバケーブルは、前記上巻きテープが、不織布から構成されていることが望ましい。
【００１０】
このように構成された光ファイバケーブルにおいては、光ファイバケーブルに水が浸入した際に、上巻きテープの吸水層により水を吸収し、ケーブルへの水の浸入を防ぐことができる。なお、不織布は吸水性のものには限定されない。
【００１１】
また、本発明にかかる光ファイバケーブルは、前記破断誘導部が、前記スロット溝の幅よりも小さな間隔で設けられていることが望ましい。
【００１２】
このように構成された光ファイバケーブルにおいては、破断誘導部の間隔がスロット溝の幅よりも小さいので、上巻きテープの巻き方にかかわらず光ファイバを取り出そうとするスロット溝の上に必ず破断誘導部が位置することになる。これにより、所望の光ファイバを取り出すことが可能になる。
【００１３】
また、本発明にかかる光ファイバケーブルは、前記上巻きテープが、前記スロットロッドの外周面にらせん状に巻かれあるいは縦添えされていることが望ましい。
【００１４】
このように構成された光ファイバケーブルにおいては、上巻きテープの巻き方にかかわらず光ファイバの取り出しが可能である。
【００１５】
また、本発明にかかる光ファイバケーブルは、前記上巻きテープが、前記スロットロッドの外周面に接着されていることが望ましい。
【００１６】
このように構成された光ファイバケーブルにおいては、隣合うスロット溝間にあるスロットロッドの外周面では、上巻きテープが接着されているので、スロット溝の上で上巻きテープを破断誘導部に沿って破断させても、スロット溝以外の場所では上巻きテープは剥がれない。このため、取り出したい光ファイバを収容しているスロット溝以外のスロット溝では、上巻きテープが巻かれた状態なので、他の光ファイバは露出しない。
【００１７】
また、本発明にかかる光ファイバケーブルは、前記スロット溝に、前記上巻きテープを破断させるための糸状部材を引き出し可能に収納していてもよい。
【００１８】
このように構成された光ファイバケーブルにおいては、取り出したい光ファイバを収容しているスロット溝の糸状部材を引き出すことにより、破断誘導部が当該スロット溝に沿って破断されることになる。これにより、所望の光ファイバを容易に取り出すことが可能になる。
【００１９】
【発明の実施の形態】
以下、本発明に係る光ファイバケーブルの実施の形態を図面に基づいて詳細に説明する。図１は光ファイバケーブルの断面図、図２はスロットの斜視図、図３は上巻きテープの拡大図である。
【００２０】
図１に示すように、本発明に係る光ファイバケーブルの実施形態である光ファイバケーブル１０は、中心にテンションメンバ１１を有し、その外側に樹脂製のスロットロッド１２が押し出し成型により一体的に設けられている。図２を併せて参照するに、スロットロッド１２の外周面には、光ファイバ２０をテープ状に被覆したテープ心線２１を積層した積層体２２を収容するスロット溝１３が、例えば反転して撚られて設けられている。
【００２１】
再び図１を参照するに、スロットロッド１２の外側には、積層体２２が収容されたスロット溝１３を覆うように上巻きテープ３０が巻き付けられており、さらにその外側にはシース１４が設けられている。
図３に示すように、上巻きテープ３０は、基材である不織布３１に破断誘導部としてミシン目３２が設けられている。また、不織布３１の下面（スロットロッド１２と接する面）には、吸水機能を有する吸水層３３が設けられており、外側から進入してくる水分を吸収して、内部に収容されている光ファイバ２０を水から保護している。
【００２２】
図４に示すように、ミシン目３２の配置としては、間隔Ｐがスロット溝１３の幅Ｄよりも小さくなるように、直行する格子状に設けるのがよい。このようにミシン目３２を配置することにより、必ずスロット溝１３の上にミシン目３２が位置するため、容易に上巻きテープ３０を破断させて光ファイバ２０を取り出すことができる。
このような上巻きテープ３０をスロットロッド１２の外周に巻き付ける方法は特に限定されない。例えば、図５（Ａ）に示すように、螺旋状に巻きつけることが可能である。あるいは、図５（Ｂ）に示すように、長手方向にまっすぐに縦添えとすることもできる。
【００２３】
上巻きテープ３０とスロットロッド１２との間は、スロット溝１３部分を除いて接着するのがよい。このため、図６に示すように、スロットロッド１２の外周面でスロット溝１３以外の部分に接着剤３４等を塗布して、上巻きテープ３０の不織布３１をスロットロッド１２に接着するのが好ましい。
【００２４】
これにより、スロット溝１３以外の場所では上巻きテープ３０がスロットロッド１２の外周面に接着されるので、光ファイバ２０を引き出す際に不織布３１をミシン目３２に沿って破断させても、そのスロット溝１３以外の部分では上巻きテープ３０がスロットロッド１２に接着されている。従って、取り出したい光ファイバ２０以外の光ファイバ２０は、スロット溝１３に収容されていて外に出ないため、作業性が改善される。また、作業中に触れてほかの光ファイバ２０を傷付けるのを防止することができる。
【００２５】
さらに、図７に示すように、各スロット溝１３に沿って中に糸状部材として例えば丈夫なナイロン糸３５を入れておくのが好ましい。この場合には、図８に示すように、ナイロン糸３５を上巻きテープ３０から外側に引き出すことにより上巻きテープ３０をミシン目３２間を破断させて、スロット溝１３に沿って切れ目３６を作ることができる。
【００２６】
従って、光ファイバケーブル１０から所望の光ファイバ２０を取り出すには、図８に示すように、まず、取り出す光ファイバ２０が収容されているスロット溝１３の中に収められているナイロン糸３５を引き出す。ナイロン糸３５は、ミシン目３２を経由してスロット溝１３に沿って上巻きテープ３０を破断して切れ目３６を形成するので、この切れ目３６から所望の光ファイバ２０あるいはこの光ファイバ２０を含むテープ心線２１を取り出す。
【００２７】
以上、前述した光ファイバケーブル１０によれば、光ファイバケーブル１０のシース１４を取り除いてスロット溝１３に収容されている光ファイバ２０を取り出す際に、スロットロッド１２に巻きつけられている上巻きテープ３０がミシン目３２から破断するので、容易に光ファイバ２０を取り出すことができる。このとき、上巻きテープ３０を完全に取り除かなくても上巻きテープ３０がスロット溝１３に沿って破断するので、光ファイバ２０を取り出すスロット溝１３以外のスロット溝１３に収容されている光ファイバ２０は収容されたままの状態である。このため、作業中に他の光ファイバ２０が邪魔にならないため作業性が改善されるとともに、作業中に触れて他の光ファイバ２０を傷つけることが防止できる。
【００２８】
また、各スロット溝１３に、上巻きテープ３０を引き裂くためのナイロン糸３５を引き出し可能に収納しているので、取り出したい光ファイバ２０を収容しているスロット溝１３のナイロン糸３５を引き出すことにより、上巻きテープ３０の不織布３１をミシン目３２を通って当該スロット溝１３に沿って破断することができる。これにより、所望の光ファイバ２０のみを容易に取り出すことが可能になる。
【００２９】
なお、本発明の光ファイバケーブル１０は、前述した実施形態に限定されるものでなく、適宜な変形、改良等が可能である。
例えば、前述した各実施形態では、スロット溝１３を反転して撚っているＳＺスロット型の光ファイバケーブル１０について説明したが、一方向に撚っている光ファイバケーブルについても適用できる。
【００３０】
【発明の効果】
以上、説明したように、本発明にかかる光ファイバケーブルによれば、請求項１に記載したように、光ファイバケーブルのシースを取り除いてスロット溝に収容されている光ファイバを取り出す際に、スロットロッドに巻きつけられている上巻きテープが破断誘導部から破断するので、容易に光ファイバを取り出すことができる。このとき、上巻きテープを完全に取り除かなくても破断するので、光ファイバを取り出すスロット溝以外のスロット溝に収容されている光ファイバは収容されたままの状態である。このため、作業中に他の光ファイバが邪魔にならないため作業性がよくなるとともに、他の光ファイバを傷つけることが防止できる。
【図面の簡単な説明】
【図１】本発明に係る光ファイバケーブルの実施形態を示す断面図である。
【図２】スロットの斜視図である。
【図３】上巻きテープの拡大図である。
【図４】上巻きテープを巻いた状態を示す斜視図である。
【図５】（Ａ）は上巻きテープを螺旋状に巻いた状態を示す斜視図、（Ｂ）は上巻きテープを縦添えとした場合を示す斜視図である。
【図６】上巻きテープを接着剤によりスロットロッドに接着した状態を示す斜視図である。
【図７】スロット溝にナイロン糸を入れた状態を示す斜視図である。
【図８】光ファイバケーブルから光ファイバを取り出す状態を示す斜視図である。
【図９】従来より一般的な光ファイバケーブルを示す断面図である。
【符号の説明】
１０  光ファイバケーブル
１２  スロットロッド
１３  スロット溝
１４  シース
２０  光ファイバ
３０  上巻きテープ
３１  不織布
３２  ミシン目（破断誘導部）
３５  ナイロン糸（糸状部材）
Ｄ  スロット溝の幅
Ｐ  破断誘導部の間隔
【図１】
2004354766.tif 000003
【図２】
2004354766.tif 000004
【図３】
2004354766.tif 000005
【図４】
2004354766.tif 000006
【図５】
2004354766.tif 000007
【図６】
2004354766.tif 000008
【図７】
2004354766.tif 000009
【図８】
2004354766.tif 000010
【図９】
2004354766.tif 000011